(57)【要約】【課題】スマートロック及びその制御方法を提供する。【解決手段】乗り物に設けられるスマートロックは、ロック部と、ユーザ端末と通信を行う無線通信モジュールと、複数の所定の無線装置の識別データを予め記憶する記憶部と、ロック部、無線通信モジュール及び記憶部に電気的に接続される検証部と、を含み、無線通信モジュールがユーザ端末から解錠要求信号を受信した場合、無線通信モジュールはユーザ端末にロック部の識別データを伝送し、ユーザ端末から伝送された、第１無線装置の識別データ及びロック部の識別データを暗号化して生成された第１検証データを受信し、検証部は第１検証データに基づいてロック部を解錠する。【選択図】図１
2019049186.tif 000002
【特許請求の範囲】
【請求項１】
乗り物に設けられるスマートロックであって、
前記乗り物を施錠又は解錠するロック部と、
ユーザ端末と通信を行う無線通信モジュールと、
複数の所定の無線装置の識別データを予め記憶する記憶部と、
前記ロック部、前記無線通信モジュール及び前記記憶部に電気的に接続される検証部と、を含み、
前記無線通信モジュールが前記ユーザ端末から解錠要求信号を受信した場合、前記無線通信モジュールは、前記ユーザ端末に前記ロック部の識別データを伝送し、前記ユーザ端末から伝送された、第１無線装置の識別データ及び前記ロック部の識別データを暗号化して生成された第１検証データを受信し、前記検証部は、前記ロック部の識別データに基づいて前記第１検証データを復号して前記第１無線装置の識別データを取得し、前記第１無線装置の識別データが前記複数の所定の無線装置のうち何れか１つの識別データに合致するとき、前記ロック部を解錠する、スマートロック。
【請求項２】
前記無線通信モジュールは、前記第１無線装置の識別データを受信し、
受信された前記第１無線装置の識別データが前記複数の所定の無線装置の識別データに何れも合致しないと前記検証部により判断された場合、前記検証部は、前記ユーザ端末に前記ロック部の識別データを伝送しない、請求項１に記載のスマートロック。
【請求項３】
前記第１検証データは、前記ユーザ端末が前記第１無線装置の識別データ及び前記ロック部の識別データを暗号化して生成されたもの、又はクラウドサーバが前記ユーザ端末から伝送された前記第１無線装置の識別データ及び前記ロック部の識別データを暗号化して生成されたものである、請求項１に記載のスマートロック。
【請求項４】
前記無線通信モジュールが前記ユーザ端末から施錠要求信号を受信した場合、前記無線通信モジュールは、前記ユーザ端末から伝送された、第２無線装置の識別データ及び前記ロック部の識別データを暗号化して生成された第２検証データを受信し、前記検証部は、前記ロック部の識別データに基づいて前記第２検証データを復号して前記第２無線装置の識別データを取得し、前記第２無線装置の識別データが前記複数の所定の無線装置のうち何れか１つの識別データに合致するとき、前記ロック部を施錠する、請求項１に記載のスマートロック。
【請求項５】
前記無線通信モジュールは、前記第２無線装置の識別データを受信し、
受信された前記第２無線装置の識別データが前記複数の所定の無線装置の識別データに何れも合致しないと前記検証部により判断された場合、前記検証部は、前記ユーザ端末に前記ロック部の識別データを伝送しない、請求項４に記載のスマートロック。
【請求項６】
前記第２検証データは、前記ユーザ端末が前記第２無線装置の識別データ及び前記ロック部の識別データを暗号化して生成されたもの、又はクラウドサーバが前記ユーザ端末から伝送された前記第２無線装置の識別データ及び前記ロック部の識別データを暗号化して生成されたものである、請求項４に記載のスマートロック。
【請求項７】
スマートロックの制御方法であって、
乗り物に設けられ、複数の所定の無線装置の識別データを予め記憶するスマートロックを提供するステップと、
前記スマートロックが、ユーザ端末から伝送された解錠要求信号を受信した場合、前記ユーザ端末に前記スマートロックの識別データを伝送するステップと、
前記スマートロックが、前記ユーザ端末から伝送された、第１無線装置の識別データ及び前記スマートロックの識別データを暗号化して生成された第１検証データを受信するステップと、
前記スマートロックが、前記スマートロックの識別データに基づいて前記第１検証データを復号して前記第１無線装置の識別データを取得するステップと、
前記スマートロックが、前記第１無線装置の識別データが前記複数の所定の無線装置のうち何れか１つの識別データに合致すると判断した場合、前記乗り物を解錠するステップと、を含む、スマートロックの制御方法。
【請求項８】
前記スマートロックが、前記第１無線装置の識別データを受信するステップと、
前記スマートロックが、受信された前記第１無線装置の識別データが前記複数の所定の無線装置の識別データに何れも合致しないと判断した場合、前記ユーザ端末に前記スマートロックの識別データを伝送しないステップと、をさらに含む、請求項７に記載のスマートロックの制御方法。
【請求項９】
前記第１検証データは、前記ユーザ端末が前記第１無線装置の識別データ及び前記スマートロックの識別データを暗号化して生成されたもの、又はクラウドサーバが前記ユーザ端末から伝送された前記第１無線装置の識別データ及び前記スマートロックの識別データを暗号化して生成されたものである、請求項７に記載のスマートロックの制御方法。
【請求項１０】
前記スマートロックが、前記ユーザ端末から伝送された施錠要求信号を受信した場合、前記ユーザ端末に前記スマートロックの識別データを伝送するステップと、
前記スマートロックが、前記ユーザ端末から伝送された、第２無線装置の識別データ及び前記スマートロックの識別データを暗号化して生成された第２検証データを受信するステップと、
前記スマートロックが、前記スマートロックの識別データに基づいて前記第２検証データを復号して前記第２無線装置の識別データを取得するステップと、
前記スマートロックが、前記第２無線装置の識別データが前記複数の所定の無線装置のうち何れか１つの識別データに合致すると判断した場合、前記乗り物を施錠するステップと、をさらに含む、請求項７に記載のスマートロックの制御方法。
【請求項１１】
前記スマートロックが、前記第２無線装置の識別データを受信するステップと、
前記スマートロックが、受信された前記第２無線装置の識別データが前記複数の所定の無線装置の識別データに何れも合致しないと判断した場合、前記ユーザ端末に前記スマートロックの識別データを伝送しないステップと、をさらに含む、請求項１０に記載のスマートロックの制御方法。
【請求項１２】
前記第２検証データは、前記ユーザ端末が前記第２無線装置の識別データ及び前記スマートロックの識別データを暗号化して生成されたもの、又はクラウドサーバが前記ユーザ端末から伝送された前記第２無線装置の識別データ及び前記スマートロックの識別データを暗号化して生成されたものである、請求項１０に記載のスマートロックの制御方法。
【発明の詳細な説明】
【技術分野】
【０００１】
本発明は、乗り物に適用されるスマートロックに関し、特に周辺の無線装置の識別データに基づいて乗り物を施錠又は解錠することができるスマートロックに関する。
【背景技術】
【０００２】
従来のシェアリング自転車の貸出と返却は、特定の自転車スタンドを介して管理される必要があり、利用者が自転車を貸し出し、或いは返却する際に、固定場所に設置された特定の自転車スタンドで貸し出し、或いは返却する必要がある。しかし、固定場所に設置された自転車スタンドは、体積が大きく、スペースを占用し、設置コストが高い。一方、全地球測位システム（Ｇｌｏｂａｌ  Ｐｏｓｉｔｉｏｎｉｎｇ  Ｓｙｓｔｅｍ：ＧＰＳ）が搭載されているレンタル用のシェアリング自転車も市販され、ＧＰＳが搭載されているシェアリング自転車の貸出と返却は、特定の自転車スタンドを介することなく、任意の場所又は指定の場所で行うことができる。しかし、ＧＰＳの測位機能は、雲又は雨の日にパフォーマンスが悪く、悪天候ではＧＰＳの搭載されているシェアリング自転車を誤って測位し、或いは衛星信号を受信できないことにより測位できなくなる。結局、利用者はシェアリング自転車の位置を知ることができなくなる。
【発明の概要】
【発明が解決しようとする課題】
【０００３】
本発明は、従来技術の問題点を鑑み、周辺の無線装置の識別データに基づいて乗り物を施錠又は解錠することができるスマートロックを提供することを目的とする。
【課題を解決するための手段】
【０００４】
本発明の一の態様では、乗り物に設けられるスマートロックであって、前記乗り物を施錠又は解錠するロック部と、ユーザ端末と通信を行う無線通信モジュールと、複数の所定の無線装置の識別データを予め記憶する記憶部と、前記ロック部、前記無線通信モジュール及び前記記憶部に電気的に接続される検証部と、を含み、前記無線通信モジュールが前記ユーザ端末から解錠要求信号を受信した場合、前記無線通信モジュールは、前記ユーザ端末に前記ロック部の識別データを伝送し、前記ユーザ端末から伝送された、第１無線装置の識別データ及び前記ロック部の識別データを暗号化して生成された第１検証データを受信し、前記検証部は、前記ロック部の識別データに基づいて前記第１検証データを復号して前記第１無線装置の識別データを取得し、前記第１無線装置の識別データが前記複数の所定の無線装置のうち何れか１つの識別データに合致するとき、前記ロック部を解錠する、スマートロックを提供する。
【０００５】
この態様では、前記無線通信モジュールは、前記第１無線装置の識別データを受信し、受信された前記第１無線装置の識別データが前記複数の所定の無線装置の識別データに何れも合致しないと前記検証部により判断された場合、前記検証部は、前記ユーザ端末に前記ロック部の識別データを伝送しない。
【０００６】
この態様では、前記第１検証データは、前記ユーザ端末が前記第１無線装置の識別データ及び前記ロック部の識別データを暗号化して生成されたもの、又はクラウドサーバが前記ユーザ端末から伝送された前記第１無線装置の識別データ及び前記ロック部の識別データを暗号化して生成されたものである。
【０００７】
この態様では、前記無線通信モジュールが前記ユーザ端末から施錠要求信号を受信した場合、前記無線通信モジュールは、前記ユーザ端末から伝送された、第２無線装置の識別データ及び前記ロック部の識別データを暗号化して生成された第２検証データを受信し、前記検証部は、前記ロック部の識別データに基づいて前記第２検証データを復号して前記第２無線装置の識別データを取得し、前記第２無線装置の識別データが前記複数の所定の無線装置のうち何れか１つの識別データに合致するとき、前記ロック部を施錠する。
【０００８】
この態様では、前記無線通信モジュールは、前記第２無線装置の識別データを受信し、受信された前記第２無線装置の識別データが前記複数の所定の無線装置の識別データに何れも合致しないと前記検証部により判断された場合、前記検証部は、前記ユーザ端末に前記ロック部の識別データを伝送しない。
【０００９】
この態様では、前記第２検証データは、前記ユーザ端末が前記第２無線装置の識別データ及び前記ロック部の識別データを暗号化して生成されたもの、又はクラウドサーバが前記ユーザ端末から伝送された前記第２無線装置の識別データ及び前記ロック部の識別データを暗号化して生成されたものである。
【００１０】
本発明の他の態様では、スマートロックの制御方法であって、乗り物に設けられ、複数の所定の無線装置の識別データを予め記憶するスマートロックを提供するステップと、前記スマートロックが、ユーザ端末から伝送された解錠要求信号を受信した場合、前記ユーザ端末に前記スマートロックの識別データを伝送するステップと、前記スマートロックが、前記ユーザ端末から伝送された、第１無線装置の識別データ及び前記スマートロックの識別データを暗号化して生成された第１検証データを受信するステップと、前記スマートロックが、前記スマートロックの識別データに基づいて前記第１検証データを復号して前記第１無線装置の識別データを取得するステップと、前記スマートロックが、前記第１無線装置の識別データが前記複数の所定の無線装置のうち何れか１つの識別データに合致すると判断した場合、前記乗り物を解錠するステップと、を含む、スマートロックの制御方法を提供する。
【００１１】
従来技術に比べて、本発明のスマートロックは、特定の無線装置が設置された場所で自転車を貸出するように解錠し、或いは自転車を返却するように施錠することができ、従来のシェアリング自転車のために大規模な自転車スタンドを設置する必要があるという欠点を改善できる。また、本発明のスマートロックは、ＧＰＳ以外の無線通信技術を用いて解錠又は施錠の手順を行うことができるため、ＧＰＳの搭載されているシェアリング自転車の測位が天候に影響されやすいという欠点を改善できる。
【図面の簡単な説明】
【００１２】
【図１】本発明のスマートロックの機能的ブロック図である。
【図２】本発明の第１実施例のスマートロックがユーザ端末の要求に応じて乗り物を解錠することを示す図である。
【図３】本発明の第１実施例のスマートロックがユーザ端末の要求に応じて乗り物を施錠することを示す図である。
【図４】本発明の第２実施例のスマートロックがユーザ端末の要求に応じて乗り物を解錠することを示す図である。
【図５】本発明の第２実施例のスマートロックがユーザ端末の要求に応じて乗り物を施錠することを示す図である。
【図６】本発明のスマートロックの制御方法のフローチャートである。
【発明を実施するための形態】
【００１３】
図１は本発明のスマートロックの機能的ブロック図である。図１に示すように、本発明のスマートロック１０は、ロック部１２、無線通信モジュール１４、記憶部１６及び検証部１８を含む。スマートロック１０は乗り物に設けられるものであり、例えば、本実施例では、スマートロック１０は、自転車４０に設けられ、ロック部１２を介して自転車を施錠又は解錠することができる。無線通信モジュール１４はユーザ端末と通信を行い、本実施例では、ユーザ端末は、例えば携帯電話であり、ブルートゥース（登録商標）（Ｂｌｕｅｔｏｏｔｈ（登録商標））又は近距離無線通信（Ｎｅａｒ−Ｆｉｅｌｄ  Ｃｏｍｍｕｎｉｃａｔｉｏｎ：ＮＦＣ）等の通信技術によりスマートロック１０の無線通信モジュール１４と通信を行ってもよい。なお、本発明はこれに限定されず、ユーザ端末５０は、他の通信技術により無線通信モジュール１４と通信を行う他の装置（例えばタブレットコンピュータ）であってもよい。記憶部１６はデータを予め記憶し、検証部１８はロック部１２、無線通信モジュール１４及び記憶部１６に電気的に接続されている。検証部１８は、端末装置と検証手順を行い、ロック部１２を解錠又は施錠する。
【００１４】
例えば、図２を参照しながら説明する。図２は本発明の第１実施例のスマートロックがユーザ端末の要求に応じて乗り物を解錠することを示す図である。図２に示すように、利用者がユーザ端末５０を介してスマートロック１０に解錠要求信号を伝送する場合、スマートロック１０の無線通信モジュール１４は、該解錠要求信号を受信した後に、ユーザ端末５０にロック部１２の識別データ（例えば識別コード）を伝送する。利用者は、ロック部１２の識別データを受信し、借りようとする（或いは解錠しようとする）目標を確認した後に、ユーザ端末５０を介して第１無線装置６０の識別データを見つけ、受信してもよい。本実施例では、第１無線装置６０はＷｉ−Ｆｉ無線ルータであり、その識別データは該Ｗｉ−Ｆｉ無線ルータの媒体アクセス制御（Ｍｅｄｉａ  Ａｃｃｅｓｓ  Ｃｏｎｔｒｏｌ：ＭＡＣ）アドレスであるが、本発明はこれに限定されない。ここで、ユーザ端末５０と第１無線装置６０との間にＷｉ−Ｆｉのネットワーク接続がなくてもよく、ユーザ端末５０が第１無線装置６０と接続していない場合であっても、ユーザ端末５０は、Ｗｉ−Ｆｉのリスニングモード（Ｌｉｓｔｅｎｉｎｇ  Ｍｏｄｅ。Ｓｎｉｆｆｉｎｇ  Ｍｏｄｅ又はＭｏｎｉｔｏｒｉｎｇ  Ｍｏｄｅと称されてもよい）により第１無線装置６０の媒体アクセス制御アドレスを受信できる。第１無線装置６０は、利用者に自転車４０の貸出又は返却を行わせるように特定の場所（例えばスーパーマーケット、店舗又は他の公共施設）に設置されてもよい。ユーザ端末５０は、第１無線装置６０のＭＡＣアドレスを受信した後に、クラウドサーバ７０に該ＭＡＣアドレス及びロック部１２の識別データを伝送してもよい。クラウドサーバ７０は、所定のアルゴリズム（例えばハッシュ（ｈａｓｈ））に従ってユーザ端末５０から伝送された第１無線装置６０のＭＡＣアドレス及びロック部１２の識別データを暗号化して第１検証データを生成し、ユーザ端末５０に該第１検証データを伝送する。ユーザ端末５０は、クラウドサーバ７０により暗号化して生成された第１検証データを受信した後に、スマートロック１０の無線通信モジュール１４に第１検証データを伝送してもよい。スマートロック１０が第１検証データを受信した後に、検証部１８は該所定のアルゴリズムに従ってロック部１２の識別データに基づいて第１検証データを復号して第１無線装置６０のＭＡＣアドレスを取得してもよい。記憶部１６は、複数の無線装置のＭＡＣアドレスを予め記憶している。検証部１８は、第１検証データを復号した後に、取得された第１無線装置６０のＭＡＣアドレスと記憶部１６に予め記憶されたＭＡＣアドレスとを比較する。第１無線装置６０のＭＡＣアドレスが記憶部１６に予め記憶されたＭＡＣアドレスのうち何れか１つに合致する場合（貸出場所がリストに存在することを表す）、検証部１８はロック部１２を解錠する。一方、第１無線装置６０のＭＡＣアドレスが記憶部１６に予め記憶されたＭＡＣアドレスに何れも合致しない場合（貸出場所がリストに存在しないことを表す）、検証部１８はロック部１２を解錠しない。
【００１５】
言い換えれば、利用者が自転車４０を解錠する場合は、ユーザ端末５０が特定の無線装置の識別データを受信し、且つクラウドサーバ７０に該特定の無線装置の識別データを伝送し、暗号化させて第１検証データを生成させるように、利用者が特定の無線装置の周辺に位置する必要がある。特定の無線装置の識別データを暗号化して生成された第１検証データは解錠のための鍵に相当し、ユーザ端末５０はスマートロック１０に該第１検証データを伝送して解錠を行う。本実施例では、特定の無線装置は特定のＷｉ−Ｆｉ無線ルータであり、例えば特定の電気通信プロバイダ、スーパーマーケット又は店舗と協力し、該特定の電気通信プロバイダ、スーパーマーケット又は店舗に所属するＷｉ−Ｆｉ無線ルータを本発明のスマートロックの特定の無線装置として、解錠するために本発明のスマートロックが該特定の電気通信プロバイダ、スーパーマーケット又は店舗のＷｉ−Ｆｉ無線ルータの周辺に位置する必要があるようにしてもよいが、本発明はこれに限定されない。また、本実施例では、第１検証データはクラウドサーバ７０により暗号化されて生成されたものであるが、本発明はこれに限定されず、第１検証データはユーザ端末５０により自ら暗号化されて生成されたものであってもよい。
【００１６】
図３は本発明の第１実施例のスマートロックがユーザ端末の要求に応じて乗り物を施錠することを示す図である。図３に示すように、利用者が自転車４０を使い終わり、自転車４０を返却しようとする場合、利用者はユーザ端末５０を介してスマートロック１０に施錠要求信号を伝送する。解錠のプロセスと同様に、スマートロック１０の無線通信モジュール１４は、該施錠要求信号を受信した後に、ユーザ端末５０にロック部１２の識別データを伝送する。利用者は、ロック部１２の識別データを受信した後に、ユーザ端末５０を介して第２無線装置６２の識別データを見つけ、受信してもよい。本実施例では、第２無線装置６２は第１無線装置６０とは別のＷｉ−Ｆｉ無線ルータであり、その識別データは該Ｗｉ−Ｆｉ無線ルータの媒体アクセス制御アドレスであるが、本発明はこれに限定されない。利用者は同一のＷｉ−Ｆｉ無線ルータのＭＡＣアドレスを用いてスマートロック１０の解錠と施錠を行ってもよく、即ちスマートロック１０の解錠と施錠は同一の場所で行われてもよい。同様に、ユーザ端末５０は、第２無線装置６２のＭＡＣアドレスを受信した後に、クラウドサーバ７０に該ＭＡＣアドレス及びロック部１２の識別データを伝送してもよい。クラウドサーバ７０は、所定のアルゴリズムに従ってユーザ端末５０から伝送された第２無線装置６２のＭＡＣアドレス及びロック部１２の識別データを暗号化して第２検証データを生成し、ユーザ端末５０に該第２検証データを伝送してもよい。ユーザ端末５０は、クラウドサーバ７０により暗号化して生成された第２検証データを受信した後に、スマートロック１０の無線通信モジュール１４に第２検証データを伝送してもよい。スマートロック１０が第２検証データを受信した後に、検証部１８は該所定のアルゴリズムに従ってロック部１２の識別データに基づいて第２検証データを復号して第２無線装置６２のＭＡＣアドレスを取得してもよい。検証部１８は、取得された第２無線装置６２のＭＡＣアドレスと記憶部１６に予め記憶されたＭＡＣアドレスとを比較する。第２無線装置６２のＭＡＣアドレスが記憶部１６に予め記憶されたＭＡＣアドレスのうち何れか１つに合致する場合（返却場所がリストに存在することを表す）、検証部１８はロック部１２を施錠する。一方、第２無線装置６２のＭＡＣアドレスが記憶部１６に予め記憶されたＭＡＣアドレスに何れも合致しない場合（返却場所がリストに存在しないことを表す）、検証部１８はロック部１２を施錠しない。同様に、本実施例では、第２検証データはクラウドサーバ７０により暗号化されて生成されたものであるが、本発明はこれに限定されず、第２検証データはユーザ端末５０により自ら暗号化されて生成されたものであってもよい。
【００１７】
また、本発明のスマートロック１０は、仮施錠モードにされてもよい。利用者が第１検証データを介してスマートロック１０を解錠して自転車４０を貸出した後に、利用者が自転車４０から一時的に離れて自転車を施錠する必要があり、且つ自転車４０を返却しない場合、利用者は、ユーザ端末５０を介してスマートロック１０を仮施錠モードに切り替えてもよい。スマートロック１０が仮施錠モードに切り替えられた場合、検証部１８は、第２検証データを受信して検証する必要がなく、直接スマートロック１０を施錠してもよい。利用者は、ユーザ端末５０を介してスマートロック１０の無線通信モジュール１４に第１検証データを再び伝送し、スマートロック１０の仮施錠モードを解除することができる。一方、利用者が自転車４０を貸出又は返却する際に、クラウドサーバ７０に全地球測位システム（Ｇｌｏｂａｌ  Ｐｏｓｉｔｉｏｎｉｎｇ  Ｓｙｓｔｅｍ：ＧＰＳ）データを伝送してもよい。クラウドサーバ７０は自転車の返却場所を記録し、或いは全ての特定の無線装置の識別データの場所データを予め記憶してもよい。利用者がクラウドサーバ７０に無線装置の識別データを伝送して検証データを生成させる場合、クラウドサーバ７０は、無線装置の識別データに対応する予め記憶された場所データに基づいて、自転車の貸出と返却の場所を知ることができ、他の利用者にシェアリング自転車を貸出可能な場所をさらに提供してもよい。
【００１８】
以上の構成によれば、利用者が自転車４０を借りようとする際に、ユーザ端末５０を介して第１無線装置６０の識別データを受信し、スマートロック１０の無線通信モジュール１４に第１検証データを送信し、検証部１８は、第１無線装置６０が特定の無線装置のうち何れか１つであると検証した後に、自転車４０を解錠してもよい。また、ユーザ端末５０を介して第２無線装置６２の識別データを受信し、スマートロック１０の無線通信モジュール１４に第２検証データを送信し、検証部１８は、第２無線装置６２が特定の無線装置のうち何れか１つであると検証した後に、自転車４０を施錠する。本発明のスマートロックは、特定の無線装置により送信された識別データを用いて解錠施錠用の検証データを生成でき、利用者は特定の無線装置の信号を受信可能な場所のみで自転車を貸出又は返却する必要があるため、自転車スタンドを設置しなくても自転車の返却場所を制限できる。さらに、本発明の実施例に係るユーザ端末が解錠と施錠を行うために用いられる無線通信技術はブルートゥース（登録商標）、ＮＦＣ又はＷｉ−Ｆｉであり、クラウドサーバ７０に全ての特定の無線装置の識別データの場所データが予め記憶されているため、自転車４０の貸出と返却の場合の場所測位は天候に影響されない。
【００１９】
図４は本発明の第２実施例のスマートロックがユーザ端末の要求に応じて乗り物を解錠することを示す図である。図４に示すように、スマートロック１０の無線通信モジュール１４が利用者によりユーザ端末５０を介して伝送された解錠要求信号を受信した際に、スマートロック１０は、無線通信モジュール１４を用いてＷｉ−Ｆｉ通信技術（例えばＷｉ−Ｆｉのリスニングモード）により、周辺に特定の無線装置が存在するか否かを検索し、例えば、サービング無線装置のリストを検索し、各無線装置のＭＡＣアドレスが記憶部１６に予め記憶されたＭＡＣアドレスのうち何れか１つに合致するか否かを判断してもよい。周辺に特定の無線装置が存在しないとスマートロック１０の無線通信モジュール１４により判断された場合（貸出場所がリストに存在しないことを表す）、スマートロック１０の検証部１８は、ユーザ端末５０の解錠要求を拒絶する（例えば、ユーザ端末５０に、後続の解錠手順を行うためのロック部１２の識別データを伝送しない）。一方、第１無線装置６０の識別データが記憶部１６に予め記憶されたＭＡＣアドレスのうち何れか１つに合致するとスマートロック１０の無線通信モジュール１４により判断された場合（貸出場所がリストに存在することを表す）、スマートロック１０の検証部１８は、ユーザ端末５０の解錠要求を容認し、無線通信モジュール１４はユーザ端末５０にロック部１２の識別データを伝送して、ユーザ端末５０から伝送された第１検証データを受信し、検証部１８は第１検証データをさらに検証し、ロック部１２を解錠する。第１検証データの生成手順及び第１検証データの検証手順は、解錠に関する第１実施例と類似し、ここでその説明を省略する。
【００２０】
図５は本発明の第２実施例のスマートロックがユーザ端末の要求に応じて乗り物を施錠することを示す図である。図５に示すように、スマートロック１０の無線通信モジュール１４が利用者によりユーザ端末５０を介して伝送された施錠要求信号を受信した際に、スマートロック１０は、無線通信モジュール１４を用いてＷｉ−Ｆｉ通信技術により、周辺に特定の無線装置が存在するか否かを検索してもよい。同様に、周辺に特定の無線装置が存在しないとスマートロック１０の無線通信モジュール１４により判断された場合（返却場所がリストに存在しないことを表す）、スマートロック１０の検証部１８は、ユーザ端末５０の施錠要求を拒絶する（例えば、ユーザ端末５０に、後続の施錠手順を行うためのロック部１２の識別データを伝送しない）。一方、第２無線装置６２の識別データが記憶部１６に予め記憶されたＭＡＣアドレスのうち何れか１つに合致するとスマートロック１０の無線通信モジュール１４により判断された場合（返却場所がリストに存在することを表す）、スマートロック１０の検証部１８は、ユーザ端末５０の施錠要求を容認し、無線通信モジュール１４はユーザ端末５０にロック部１２の識別データを伝送して、ユーザ端末５０から伝送された第２検証データを受信し、検証部１８は第２検証データをさらに検証し、ロック部１２を施錠する。第２検証データの生成手順及び第２検証データの検証手順は、解錠に関する第１実施例と類似し、ここでその説明を省略する。本発明の第２実施例に係る乗り物を施錠又は解錠するためのスマートロックは、解錠要求信号又は施錠要求信号を受信した場合、周辺に特定の無線装置が存在するか否かを決定し、周辺に特定の無線装置が存在しないとき、ユーザ端末５０の解錠要求又は施錠要求を拒絶することで、利用者が貸出又は返却できない場所で施錠又は解錠を試み続けることによる無駄な時間の浪費を回避できる。
【００２１】
一方、スマートロック１０が乗り物を施錠又は解錠する際に、ユーザ端末５０又はスマートロック１０は、クラウドサーバ７０に施錠時間及び解錠時間（又は貸出期間）を伝送し、ユーザ端末５０を利用する利用者のアカウントをさらに課金してもよい。
【００２２】
図６は本発明のスマートロックの制御方法のフローチャート１００である。本発明のスマートロックの制御方法は以下のステップを含む。
【００２３】
ステップ１１０：乗り物に設けられ、複数の所定の無線装置の識別データを予め記憶するスマートロックを提供する。
【００２４】
ステップ１２０：該スマートロックは、ユーザ端末から伝送された解錠要求信号を受信した場合、該ユーザ端末に該スマートロックの識別データを伝送する。
【００２５】
ステップ１３０：該スマートロックは、該ユーザ端末から伝送された、第１無線装置の識別データ及び該スマートロックの識別データを暗号化して生成された第１検証データを受信する。
【００２６】
ステップ１４０：該スマートロックは、該スマートロックの識別データに基づいて該第１検証データを復号して該第１無線装置の識別データを取得する。
【００２７】
ステップ１５０：該スマートロックは、該第１無線装置の識別データが該複数の所定の無線装置のうち何れか１つの識別データに合致すると判断した場合、該乗り物を解錠する。
【００２８】
従来技術に比べて、本発明のスマートロックは、特定の無線装置が設置された場所で自転車を貸出するように解錠し、或いは自転車を返却するように施錠することができ、従来のシェアリング自転車のために大規模な自転車スタンドを設置する必要があるという欠点を改善できる。また、本発明のスマートロックは、ＧＰＳ以外の無線通信技術を用いて解錠又は施錠の手順を行うことができるため、ＧＰＳの搭載されているシェアリング自転車の測位が天候に影響されやすいという欠点を改善できる。
【００２９】
以上は本発明の好ましい実施例を説明しているが、本発明の特許請求の範囲に基づいて均等的に変更、修正されたものは全て本発明の範囲に属する。
【符号の説明】
【００３０】
１０    スマートロック
１２    ロック部
１４    無線通信モジュール
１６    記憶部
１８    検証部
４０    自転車
５０    ユーザ端末
６０    第１無線装置
６２    第２無線装置
７０    クラウドサーバ
１００  フローチャート
１１０〜１５０  ステップ
【図１】
2019049186.tif 000003
【図２】
2019049186.tif 000004
【図３】
2019049186.tif 000005
【図４】
2019049186.tif 000006
【図５】
2019049186.tif 000007
【図６】
2019049186.tif 000008